(57)【要約】【課題】犬等の動物の首部に装着したチェーン本体の移動範囲が狭く、動物の毛を挟んで毛を抜いたり、切断したりすることが少なく、しかも、装着した首輪部分が動物の首から容易に抜けるたりすることなく、動物に対する教化訓練を確実に実行することができる動物訓練用首輪を提供することである。【解決手段】犬の動物訓練用首輪１は、両端に設けられた円輪５により係止される状態で、チェーン本体に係止円輪４が移動自在に挿設され、この係止円輪４にスナップ７が設けられた首輪部分２と、チェーン本体３の一方の円輪５に連結された引張用紐９とからなり、チェーン本体３を対象動物の首を取り巻いた状態でスナップ７をチェーン本体３の一方の円輪５に結合してチェーン本体３に環状部３ｂを形成することを特徴とする。【選択図】図１
0003099503.tif 000002
【実用新案登録請求の範囲】
【請求項１】
両端に設けられた円輪により係止される状態で、チェーン本体に係止円輪が移動自在に挿設され、この係止円輪にスナップが設けられた首輪部分と、前記チェーン本体の一方の円輪に連結された引張用の紐又はチェーンとからなり、前記チェーン本体を対象動物の首を取り巻いた状態で前記スナップをチェーン本体の前記した一方の円輪に結合して前記チェーン本体を環状に形成することを特徴とする動物訓練用首輪。
【請求項２】
前記チェーン本体の一端部であって、前記一方の円輪との間に複数のリングを連結したリンクチェーンを一連に設け、このリンクチェーンのいずれかのリングに前記スナップを結合して前記チェーン本体を環状に形成するようにした請求項１に記載された動物訓練用首輪。
【考案の詳細な説明】
【０００１】
【考案の属する技術】
本考案は、犬等の動物訓練用首輪に関するものである。
【０００２】
【従来の技術】
従来、犬等の動物に使用される動物訓練用首輪としては、図５に示すように、チェーン本体１６からなる首輪部分１５と、このチェーン本体１６の端部に連結された引張用の紐やチェーン２０とからなるものが、一般的である。この動物訓練用首輪では、その首輪部分１５を形成するチェーン本体１６の両端に円輪１８がそれぞれ設けられ、その一方の円輪１８が予めチェーン本体１６に移動自在に挿設され、チェーン本体１６に環状部１７を形成できるようにされいてる。なお、チェーン本体１６には係止円輪１９が移動自在に挿設されている。係止円輪１９を引張することにより、チェーン本体１６に環状部を形成するように操作するためである。
【０００３】
この動物訓練用首輪は、首輪部分１５を犬２１の首２２に装着して首輪としての機能を発揮させることができる。この場合、チェーン本体１６の環状部１７の径を拡大して、犬２１の頭部２３を介して首１１に装着される。また、動物訓練用首輪として利用は、チェーン本体１６に連結された紐やチェーン２０を引張することにより行われる。なお、紐やチェーン２０を引張した場合でも、犬等の動物の首を完全に締結してしまうことはなく、動物２１の顎２４に係止した状態となる。このため、使用上の安全性は確保できる。
【０００４】
【考案が解決しようとする課題】
しかしながら、上記した従来の動物訓練用首輪では、一方の円輪１８にチェーン本体の他方の円輪が予め挿設されているので、チェーン本体１６の一方の端部を引張することにより、チェーン本体１６の環状部１７が形成される。この環状部１７に動物２１の頭部２３を挿入することにより、首輪部分１５が対象動物２１の首１１に装着される。このため、装着後のチェーン本体１６における環状部１７の径は動物の頭部１２の径の大きさに比例した長さが必要となる。首輪部分１５の装着時においてチェーン本体１６が移動する範囲は、チェーン本体１６の長さに対応して長くなり、この長さに比例してチェーン本体１６が動物２１の毛と接触して、チェーン本体１６の輪で毛を挟む割合が多くなって、動物２１の毛がチェーン本体１６の輪の間に挟まれて抜けたり、切断されたりすることが多いという欠点がある。
【０００５】
さらに、紐やチェーン２０を強く引張した時に、チェーン本体１６が動物２１の首２２から外れてしまうことが多いので、動物２１に対する矯正効果が低くなるという欠点もある。
【０００６】
そこで、本考案は、犬等の動物の首部に装着したチェーン本体の移動範囲が狭く、動物の毛を挟んで毛を抜いたり、切断したりすることが少なく、しかも、装着した首輪部分が動物の首から容易に抜けるたりすることなく、動物に対する教化訓練を確実に実行することができる動物訓練用首輪を提供することを目的とした。
【０００７】
【課題を解決するための手段】
上記した目的を達成するため、本考案の動物訓練用首輪は、両端に設けられた円輪により係止される状態で、チェーン本体に係止円輪が移動自在に挿設され、この係止円輪にスナップが設けられた首輪部分と、前記チェーン本体の一方の円輪に連結された引張用の紐又はチェーンとからなり、前記チェーン本体を対象動物の首を取り巻いた状態で前記スナップをチェーン本体の前記した一方の円輪に結合して前記チェーン本体を環状に形成することを特徴とする。
【０００８】
本考案の動物訓練用首輪によれば、チェーン本体を対象動物の首に取り巻いた状態で、挿設した係止円輪に設けたスナップをチェーン本体の一方の円輪に係止することによって、チェーン本体を環状とするものであるから、動物の首にフィットした良好な状態で首輪部分を装着することができる。
【０００９】
さらに、本考案の犬の訓練用首輪には、チェーン本体の一端部に一方の円輪との間に複数のリングが連結されたリンクチェーンを一連に設け、このリンクチェーンのいずれかのリングに前記スナップを結合して前記チェーン本体を環状に形成するようにした構成を含む。
【００１０】
上記のチェーン本体の一端部にリンクチェーンを一連に設けた構成により、対象動物の首の径の大小に応じてチェーン本体による取り巻き長さを調整することが可能となる。
【００１１】
【考案の実施の形態】
次に本考案を実施するための最良の形態に係る犬の訓練用首輪１を図１に示した。
【００１２】
犬の訓練用首輪１は、チェーン本体３からなる首輪部分２と引張用紐９とで構成されている。チェーン本体３は、多数の輪３ａを一連に連結したものである。チェーン本体３には、その両端に円輪５がそれぞれ設けられ、これらの円輪５に係止される状態で、チェーン本体３の中間部に係止円輪４が移動自在に挿設されている。係止円輪４には、連継部材８を介してスナップ７が連設されている。
【００１３】
スナップ７は、本体７ａと爪部７ｂとからなり、爪部７ｂに対し本体７ａを係脱させることにより本体７ａが開閉される。図２に示すように、このスナップ７の開閉機能に基づいて、係止円輪４をチェーン本体３の一方の円輪５に結合することにより、チェーン本体３に環状部３ｂを形成することができる。
【００１４】
このように犬の訓練用首輪１の首輪部分２が構成されているから、図３に示すように、対象とする犬１０の首１１にチェーン本体３を巻き付けた状態で、首輪部分２を犬１０の首１１に装着させることができる。これにより首輪部分２を犬１０の首１１に装着した場合、首輪部分２のチェーン本体３を犬の首１１にフィットした状態で装着することが可能となる。通常の場合、チェーン本体３としては３０〜６５ｃｍの長さのものが使用され、チェーン本体３の環状部３ｂは、犬１０の首１１に緩んだ状態で首１１に装着させることができるので、犬の首１１を強く締め付けることがない。
【００１５】
このようにチェーン本体３の環状部３ｂの径が、犬１０の首１１に対して、余裕をもった大きさの径で形成されるから、犬１０の首１１に弛んだ状態で装着される。また首輪部分２は首１１にフィットして装着されるから、その移動範囲は、前記した従来の動物訓練用首輪と比較してより小さい。このため、首輪部分２が移動して、チェーン本体３の輪３ａが接触することにより、犬１０の毛を挟んで抜いたり、切断したりすることが少なくなる。また、チェーン本体３の環状３ｂの径がある程度の余裕をもった大きさで形成されることで、犬の首１１を締め付けて犬１０に苦痛を与えることはない。
【００１６】
チェーン本体３は、引張用紐９を引張しないときは、犬１０の首１１に弛んだ装着状態となっており、また引張用紐９を引張するときは、チェーン本体３の環状部３ｂが犬１０の顎１３に引っ掛かる状態となる。このように、首輪部分２は犬１０の顎１３に係止するから、首輪部分２のチェーン本体３が犬１０の頭部１２から抜けてしまうことがない。従って、犬の訓練用首輪１により犬１０の動静を制御する訓練を行い、犬１０の行動を効果的に教化することが可能となる。
【００１７】
チェーン本体３の一端部には、円輪５との間に複数のリング６ａを一連に連継したリンクチェーン６が設けられている。リンクチェーン６の各リング６ａの径は、チェーン本体３の輪３ａの径と比較して、スナップ７の結合が容易なように、より大きい径のものが使用されている。
【００１８】
図４に示すように、スナップ７をリンクチェーン６のいずれかのリング６ａに結合することにより、チェーン本体３に形成される環状部３ｂの径の大きさをより小さくするように調整できる。これにより、犬の首１１の径がより小さい場合でも、チェーン本体３を首１１にフィットした状態で装着することが可能である。また、犬の首１１の径が小さな犬に対しても、前記同様に、首輪部分２を良好に装着することができると共に、犬１０の毛が抜けたり、切断されるのを低減することができる。
【００１９】
【考案の効果】
上述したように、本考案の動物訓練用首輪は、その首輪部分が、両端に円輪が設けられたチェーン本体に係止円輪が挿設されているので、係止円輪の挿設状態が両端の各円輪と係止することにより確保される。さらに、この係止円輪にスナップが連設されているから、スナップを前記した一方の円輪に連結することによって、チェーン本体に環状部を形成することができる。このようにチェーン本体に環状部を形成できるから、予め犬等の動物の首に取り巻いた状態でチェーン本体を設け、首輪部分を犬の首に装着することが可能である。
【００２０】
このように首輪部分を動物の首に装着できるから、装着後の首輪部分の移動距離は短く、チェーン本体と毛とが接触する機会が低められるので、動物の毛が抜けたり、切断されたりするのを低減できる。また、首輪部分が動物の首から抜けることがないので、動物を訓練し教化することができる。
【００２１】
また、首輪部分のチェーン本体の一端部にリンクチェーンを連結した構成によれば、チェーン本体に設けられたスナップをリンクチェーンを形成するリングに連結することにより、首輪部分における環状部の径の大きさを動物の首の径の大きさに対応して小さく調整できるので、首輪部分をよりフィットした良好な状態で装着することができる。
【図面の簡単な説明】
【図１】本考案に係る実施の形態の動物訓練用首輪の正面図である。
【図２】本考案に係る実施の形態の動物訓練用首輪を環状に形成した状態を説明する正面図である。
【図３】本考案に係る実施の形態の動物訓練用首輪について、スナップをチェーン本体の一方の円輪に連結して環状部を形成し、犬の首に装着した状態を説明する斜視図である。
【図４】本考案に係る実施の形態の動物訓練用首輪について、そのスナップをリンクチェーンのリングに連結して環状部を形成した状態を説明する正面図である。
【図５】従来の動物訓練用首輪の正面図である。
【図６】従来の動物訓練用首輪を装着する形態を説明する図である。
【符号の説明】
１　犬の訓練用首輪
２　首輪部分
３　チェーン本体
３ａ　輪
３ｂ　環状部
４　係止円輪
５　円輪
６　リンクチェーン
６ａ　リング
７　スナップ
７ａ　本体
７ｂ　爪部
９　引張用紐
１０　犬
１１　首
１２　頭部
１３　顎
【図１】
0003099503.tif 000003
【図２】
0003099503.tif 000004
【図３】
0003099503.tif 000005
【図４】
0003099503.tif 000006
【図５】
0003099503.tif 000007
【図６】
0003099503.tif 000008